(57)【要約】【課題】無線通信媒体を物品に添付して物品を管理する場合に、情報処理装置に接続されたアクセスポイントが設けられていない環境においても、無線通信媒体を大型化したりその構成を複雑化したりすることなく、物品を管理する。【解決手段】物品に添付されたセンサ付き無線ＩＣタグ１０にて物品の周囲温度を計測し、周囲温度を計測する度毎に周囲温度データを自立的にロギング装置２０に送信する。ロギング装置２０においては、センサ付き無線ＩＣタグ１０から送信されてきた周囲温度データをメモリ２４に記憶・保持しておき、その後、情報処理装置４０が接続された場合に、メモリ２４に記憶・保持された周囲温度データを情報処理装置４０に出力する。【選択図】図１
2008024385.tif 000002
【特許請求の範囲】
【請求項１】
物品に添付された無線通信媒体にて取得された当該物品の環境データを情報処理装置にて管理する物品管理システムであって、
前記無線通信媒体にて取得された環境データを保持するデータ保持装置を有し、
前記無線通信媒体は、
添付された物品の環境データを予め決められたタイミングで取得する環境データ取得手段と、
前記環境データ取得手段にて環境データが取得される度毎に、該環境データを自立的に前記データ保持装置に送信する送信手段とを有し、
前記データ保持装置は、
前記無線通信媒体から送信されてきた環境データを受信する受信手段と、
前記受信手段にて受信された環境データを記憶・保持する記憶手段と、
前記情報処理装置と接続可能に構成され、前記情報処理装置に接続された場合に、前記記憶手段に記憶・保持された環境データを前記情報処理装置に出力可能な出力手段とを有する物品管理システム。
【発明の詳細な説明】
【技術分野】
【０００１】
本発明は、物品の保管環境を管理する物品管理システムに関し、特に、物品に無線通信媒体を添付して物品の保管環境を管理する物品管理システムに関する。
【背景技術】
【０００２】
従来より、飲食物等、その品質が保管環境の影響を受ける物品においては、保管環境の厳重な管理が要求される。例えば、酒類や冷凍食品等においては、決められた温度範囲での管理が必要とされ、そのための様々な工夫がなされている。例えば、特許文献１には、物品となる酒類を梱包する箱等に、環境データの推移を記録する無線通信媒体であるＲＦＩＤ（Radio Frequency Identification）を添付しておき、ＲＦＩＤ内のメモリに記録された環境データの推移により酒類の流通保管状態を管理する技術が記載されている。この技術においては、酒類を梱包する箱等に添付されたＲＦＩＤ内のメモリに、酒類の流通経路における環境データを書き込んでおき、その後、酒類の配送先等において、ＲＦＩＤ内のメモリに書き込まれた環境データを読み出すことにより、酒類の流通保管状態が管理されている。
【０００３】
また、このようにＲＦＩＤ内のメモリに環境データを書き込んでおき、その後、ＲＦＩＤ内のメモリに書き込まれた環境データを読み出す場合は、例えば、ＲＦＩＤとして、電池を内蔵し、自ら電波を発信するアクティブ型ＲＦＩＤを用い、環境データを読み出すアクセスポイントからＲＦＩＤに対して、メモリに書き込まれた環境データを送信するリクエスト信号を送信し、そのリクエスト信号を受信したＲＦＩＤが、メモリに書き込まれた環境データを読み出してアクセスポイントに送信することが考えられる。アクセスポイントはインタフェースを介してパソコン等の情報処理装置と接続されており、ＲＦＩＤから送信されてきた環境データはアクセスポイントを介して情報処理装置に送信され、情報処理装置にて物品の流通保管状態が管理されることになる。
【０００４】
このように、近年においては、非接触状態にて情報の読み出しが可能なＲＦＩＤが様々な分野で利用されており、物品の流通管理においても、流通経路における環境データを書き込んでその環境データを読み出すというように利用されている。非接触状態にて情報の読み出しが可能なＲＦＩＤにおいては、離れた場所から非接触状態にて情報を読み出すことが可能なことや、複数の物品に添付されたＲＦＩＤから情報を同時に読み出すことが可能なこと等から、物品を管理するための作業の効率化を図ることができる。
【特許文献１】特開２００５−３１４０７３号公報
【発明の開示】
【発明が解決しようとする課題】
【０００５】
しかしながら、特許文献１に記載されたものにおいては、物品の流通経路における環境データをＲＦＩＤに書き込んでおき、その後、物品の配送先等において、ＲＦＩＤに書き込まれた環境データを読み出すことになるため、記録しておく環境データの量が多くなると、ＲＦＩＤのメモリを大容量のものとしなければならないという問題点がある。また、記録しておく環境データの量がさらに多い場合は、ＲＦＩＤのメモリ以外に外部メモリを設けなければならず、物品に添付する無線通信媒体が大型化してしまうという問題点がある。また、流通経路にて書き込まれた環境データを物品の配送先等において一度に読み出すことになるため、ＲＦＩＤが電池内蔵のものである場合は、書き込まれた環境データを読み出す際に電池が大きく消耗してしまうという問題点がある。
【０００６】
また、上述したように、環境データを読み出すアクセスポイントから、メモリに書き込まれた環境データを送信するリクエスト信号がＲＦＩＤに送信され、そのリクエスト信号を受信したＲＦＩＤが、メモリに書き込まれた環境データを読み出してアクセスポイントに送信する場合は、アクセスポイントから送信されたリクエスト信号を受信するための受信機能と、環境データをアクセスポイントに送信するための送信機能とを無線通信媒体に設ける必要が生じ、物品に添付する無線通信媒体の小型化及び部品構成の簡素化を図ることが困難となってしまうという問題点がある。また、ＲＦＩＤにおいては、アクセスポイントから送信されるリクエスト信号を受信するために、常に受信可能な状態としておく必要があるため、電池の寿命が短くなってしまうという問題点がある。また、情報処理装置に接続されたアクセスポイントが設けられていない環境においては、ＲＦＩＤに書き込まれた環境データを読み出すことができないという問題点がある。これは、例えば、物品をトラック等の輸送手段で輸送する場合、トラック等の輸送手段には、情報処理装置に接続されたアクセスポイントが設けられている場合が少なく、そのため、アクセスポイントが設けられた配送先等において、ＲＦＩＤに書き込まれた環境データを読み出すことになるため、上記同様の問題点が生じる。
【０００７】
本発明は、上述したような従来の技術が有する問題点に鑑みてなされたものであって、無線通信媒体を物品に添付して物品を管理する場合に、情報処理装置に接続されたアクセスポイントが設けられていない環境においても、無線通信媒体を大型化したりその構成を複雑化したりすることなく、物品を管理することができる物品管理システムを提供することを目的とする。
【課題を解決するための手段】
【０００８】
上記目的を達成するために本発明は、
物品に添付された無線通信媒体にて取得された当該物品の環境データを情報処理装置にて管理する物品管理システムであって、
前記無線通信媒体にて取得された環境データを保持するデータ保持装置を有し、
前記無線通信媒体は、
添付された物品の環境データを予め決められたタイミングで取得する環境データ取得手段と、
前記環境データ取得手段にて環境データが取得される度毎に、該環境データを自立的に前記データ保持装置に送信する送信手段とを有し、
前記データ保持装置は、
前記無線通信媒体から送信されてきた環境データを受信する受信手段と、
前記受信手段にて受信された環境データを記憶・保持する記憶手段と、
前記情報処理装置と接続可能に構成され、前記情報処理装置に接続された場合に、前記記憶手段に記憶・保持された環境データを前記情報処理装置に出力可能な出力手段とを有する。
【０００９】
上記のように構成された本発明においては、物品に添付された無線通信媒体の環境データ取得手段において、添付された物品の周囲温度等の環境データが予め決められたタイミングで取得される。そして、無線通信媒体の送信手段において、環境データ取得手段にて環境データが取得される度毎に、取得された環境データが自立的にデータ保持装置に送信される。データ保持装置においては、無線通信媒体から送信されてきた環境データが受信手段にて受信されると、受信された環境データが記憶手段に記憶・保持される。その後、物品の環境データを管理する情報処理装置がデータ保持装置の出力手段に接続されると、記憶手段に記憶・保持された環境データが情報処理装置に出力される。
【００１０】
このように、物品に添付された無線通信媒体にて取得された物品の環境データが予め決められたタイミングで取得され、環境データが取得される度毎に、取得された環境データが無線通信媒体から自立的にデータ保持装置に送信されるので、環境データを送信するためのリクエスト信号を受信する受信機能を無線通信媒体に設ける必要がない。また、無線通信媒体にて物品の環境データが取得されるとその環境データはデータ保持装置に送信されて記憶・保持されるので、無線通信媒体において、取得された環境データを記録しておくために大容量のメモリや外部メモリを必要とせず、また、無線通信媒体に内蔵された電池が大きく消耗してしまうことがない。また、無線通信媒体にて取得された環境データがデータ保持装置にて記憶・保持され、その後、物品の環境データを管理する情報処理装置がデータ保持装置の出力手段に接続されると、記憶手段に記憶・保持された環境データが情報処理装置に出力されるので、情報処理装置に接続されたアクセスポイントが設けられていない環境においても、無線通信媒体を大型化することなく、物品を管理することができる。
【発明の効果】
【００１１】
以上説明したように本発明においては、物品に添付された無線通信媒体にて取得された物品の環境データが予め決められたタイミングで取得され、環境データが取得される度毎に、取得された環境データが無線通信媒体から自立的にデータ保持装置に送信される構成としたため、環境データを送信するためのリクエスト信号を受信する受信機能を無線通信媒体に設ける必要がなく、無線通信媒体を大型化したりその構成を複雑化したりすることなく、物品を管理することができる。
【００１２】
また、無線通信媒体にて取得された環境データがデータ保持装置に送信されて記憶・保持される構成としたため、無線通信媒体において、取得された環境データを記録しておくために大容量のメモリや外部メモリを必要とせず、また、無線通信媒体に内蔵された電池が大きく消耗してしまうことを回避することができる。
【００１３】
また、無線通信媒体にて取得された環境データがデータ保持装置にて記憶・保持され、その後、物品の環境データを管理する情報処理装置がデータ保持装置の出力手段に接続されると、記憶手段に記憶・保持された環境データが情報処理装置に出力される構成としたため、情報処理装置に接続されたアクセスポイントが設けられていない環境においても、無線通信媒体を大型化することなく、物品を管理することができる。
【発明を実施するための最良の形態】
【００１４】
以下に、本発明の実施の形態について図面を参照して説明する。
【００１５】
図１は、本発明の物品管理システムの実施の一形態を示す図である。
【００１６】
本形態は図１に示すように、管理する物品に添付され、添付された物品の環境データとなる周囲温度データを取得する無線通信媒体であるセンサ付き無線ＩＣタグ１０と、センサ付き無線ＩＣタグ１０にて取得された周囲温度データを記憶・保持し、外部出力インタフェース３０を介して情報処理装置４０に出力可能なデータ保持装置であるロギング装置２０とから構成されている。
【００１７】
センサ付きＩＣタグ１０は、電源を内蔵して自ら電波を発信するアクティブ型ＲＦＩＤであって、電源１８と、環境データ取得手段である温度センサ１７及び計測データ入力部１４と、電源制御部１３と、メモリ１５と、送信手段である通信データ出力部１２及び無線送信部１６とから構成されている。なお、電源制御部１３、計測データ入力部１４、メモリ１５及び通信データ出力部１２は、例えば１チップで構成され、タグＣＰＵ部１１となっている。
【００１８】
温度センサ１７は、周囲温度を計測し、計測した周囲温度データをアナログ値で出力する。これにより、センサ付き無線ＩＣタグ１０が物品に添付されている状態においては、その物品の周囲温度が温度センサ１７によって計測されることになる。
【００１９】
電源制御部１３は、タグＣＰＵ部１１のウォッチドッグタイマ機能（不図示）により、タグＣＰＵ部１１をＯＮ状態とするとともに、電源１８から温度センサ１７及び無線送信部１６への電源供給を制御する。
【００２０】
計測データ入力部１４は、温度センサ１７にて計測されたアナログ地の周囲温度データを取り込み、デジタル値に変換してメモリ１５に書き込む。
【００２１】
メモリ１５は、上書きメモリであり、計測データ入力部１４にてデジタル値に変換された周囲温度データを温度センサ１７における１回の計測毎に一時的に保存するものである。
【００２２】
通信データ出力部１２は、メモリ１５に一時的に保存された周囲温度データを、ロギング装置２０への通信形態として出力する。
【００２３】
無線送信部１６は、通信データ出力部１２から出力された周囲温度データをロギング装置２０に無線送信する。
【００２４】
また、ロギング装置２０は、受信手段である無線受信部２６及び通信データ入力部２２と、電源制御部２３と、記憶手段であるメモリ２４と、出力手段である計測データ出力部２５と、電源２７とから構成されている。なお、通信データ入力部２２、電源制御部２３、メモリ２４及び計測データ出力部２５は、例えば１チップで構成され、ＣＰＵ部２１となっている。
【００２５】
無線受信部２６は、センサ付き無線ＩＣタグ１０から送信されてきた周囲温度データを無線を介して受信する。
【００２６】
通信データ入力部２２は、無線受信部２６にて受信された周囲温度データをメモリ２４に書き込む。
【００２７】
電源制御部２３は、電源２７からの無線受信部２６への電源供給を制御する。
【００２８】
メモリ２４は、無線受信部２６にて受信された周囲温度データが通信データ入力部２２によって書き込まれ、該周囲温度データを温度センサ１７における複数回の計測分記憶・保持するものであって、複数の周囲温度データを記憶するために十分な容量を有するものである。なお、ＳＤカード等の分離型であってもよい。
【００２９】
計測データ出力部２５は、外部出力インタフェース３０を介して情報処理装置４０と接続可能に構成され、外部出力インタフェース３０を介して情報処理装置４０と接続された場合に、メモリ２４に記憶・保持された周囲温度データを情報処理装置４０に出力する。
【００３０】
以下に、上記のように構成された物品管理システムを用いた物品管理方法について説明する。
【００３１】
まず、センサ付き無線ＩＣタグ１０にて取得された物品の周囲温度データをロギング装置２０に記憶・保持するまでの処理について説明する。
【００３２】
図２は、図１に示した物品管理システムを用いて物品の周囲温度を実際に管理する例を示す図である。
【００３３】
本例においては図２に示すように、輸送される物品５０がコンテナ６０内に収容され、その物品５０のそれぞれにセンサ付き無線ＩＣタグ１０が添付されている。また、このコンテナ６０内には、ロギング装置２０が設置されている。センサ付き無線ＩＣタグ１０は、ラベル形態として物品５０に貼付したり、物品５０に設けられた収容部に収容したりすることにより物品５０に添付することが考えられる。ロギング装置２０は、物品５０に添付されたセンサ付き無線ＩＣタグ１０と通信可能な場所であれば、設置場所はコンテナ６０内に限らず、コンテナ６０を積載した車両の運転席等に設置することも考えられる。
【００３４】
図３は、図１に示した物品管理システムを用いて図２に示した物品５０の周囲温度データをロギング装置２０に記憶・保持するまでの処理を説明するためのフローチャートである。
【００３５】
センサ付き無線ＩＣタグ１０のタグＣＰＵ部１１においては、ウォッチドッグタイマ機能により、タグＣＰＵ部１１をＯＮ状態にする時間であるかどうかが常時監視されている。そして、タグＣＰＵ部１１をＯＮ状態にする時間になると（ステップＳ１）、電源制御部１３の制御により、タグＣＰＵ部１１がＯＮ状態に設定されるとともに、電源１８から供給される電力によって温度センサ１７及び無線送信部１６が起動する（ステップＳ２）。
【００３６】
温度センサ１７が起動すると、温度センサ１７において、周囲温度、すなわちこのセンサ付き無線ＩＣタグ１０が添付された物品５０の周囲温度が計測され、計測された周囲温度データが計測データ入力部１４にて取り込まれる（ステップＳ３）。この際、温度センサ１７からは周囲温度データがアナログ値で出力されるため、計測データ入力部１４にて取り込まれる周囲温度データはアナログ値となる。
【００３７】
計測データ入力部１４においては、アナログ値として取り込まれた周囲温度データがデジタル値に変換され、デジタル値に変換された周囲温度データがメモリ１５に一時的に保存される（ステップＳ４）。
【００３８】
次に、通信データ出力部１２において、メモリ１５に一時的に保存された周囲温度データが読み出され、ロギング装置２０への通信形態に変換される。この際、通信データ出力部１２においては、メモリ１５から読み出された周囲温度データに、センサ付き無線ＩＣタグ１０のユニークなＩＤが付与され、ロギング装置２０への通信形態とされる。
【００３９】
通信データ出力部１２にてロギング装置２０への通信形態とされた周囲温度データは、無線送信部１６を介してロギング装置２０に無線送信される（ステップＳ５）。この際、通信データ出力部１２のタイムスタンプ機能（不図示）によって、ユニークなＩＤが付与された周囲温度データに送信時刻を示す情報が付与され、ユニークなＩＤ及び送信時刻を示す情報が付与された周囲温度データが無線送信部１６を介してロギング装置２０に無線送信される。
【００４０】
このように、センサ付き無線ＩＣタグ１０においては、ウォッチドッグタイマ機能によって予め決められたタイミングで物品５０の周囲温度が計測され、周囲温度が計測される度毎にその周囲温度データが自立的にロギング装置２０に送信されるため、周囲温度データをロギング装置２０に送信するためのリクエスト信号等をロギング装置２０から受信する必要がない。
【００４１】
その後、センサ付き無線ＩＣタグ１０においては、電源制御部１３の制御により、タグＣＰＵ部１１がＯＦＦ状態とされるとともに、温度センサ１７及び無線送信部１６の動作が停止し、センサ付き無線ＩＣタグ１０がスリープモードとなる（ステップＳ６）。電源制御部１３においては、上述したような、温度センサ１７にて周囲温度が計測されてからその周囲温度データが無線送信部１６を介してロギング装置２０に無線送信されるまでの時間が予め設定されており、タグＣＰＵ部１１がＯＮ状態になるとともに温度センサ１７及び無線送信部１６が起動してからその設定時間が経過した後に、タグＣＰＵ部１１をＯＦＦ状態とするとともに温度センサ１７及び無線送信部１６の動作を停止させるような制御が行われる。例えば、温度センサ１７にて周囲温度が計測されてからその周囲温度データが無線送信部１６を介してロギング装置２０に無線送信されるまでの時間として４０［ｍｓｅｃ］が設定されており、タグＣＰＵ部１１がＯＮ状態になるとともに温度センサ１７及び無線送信部１６が起動してから４０［ｍｓｅｃ］が経過した後に、タグＣＰＵ部１１をＯＦＦ状態とするとともに温度センサ１７及び無線送信部１６の動作を停止させる制御が行われる。
【００４２】
タグＣＰＵ部１１のウォッチドッグタイマ機能においては、上述した処理が所定時間毎に繰り返し行われるようにタイマ監視が行われている。例えば、ウォッチドッグタイマ機能において５［ｓｅｃ］毎にアラームが出力されるように設定しておけば、このアラームによって電源制御部１３の制御が５［ｓｅｃ］毎に行われ、上述した処理が５［ｓｅｃ］毎に繰り返し行われることになる。また、その際、メモリ１５には、計測データ入力部１４にてデジタル値に変換された周囲温度データが、温度センサ１７における１回の計測毎に上書きされていく。すなわち、メモリ１５には、温度センサ１７にて計測された１回の周囲温度データのみが書き込まれていることになり、メモリ１５を大容量のものとしたり、外部メモリを設けたりする必要がない。
【００４３】
このように、センサ付き無線ＩＣタグ１０において、所定時間毎に周囲温度が計測されてその周囲温度データがロギング装置２０に送信され、その後、スリープモードに設定されるという処理が繰り返し行われるため、センサ付き無線ＩＣタグ１０の電源１８となる電池の消耗を抑制することができる。
【００４４】
センサ付き無線ＩＣタグ１０の無線送信部１６から無線送信された周囲温度データは、ロギング装置２０の無線受信部２６にて受信され、通信データ入力部２２に取り込まれる（ステップＳ７）。
【００４５】
通信データ入力部２２においては、無線受信部２６にて受信された周囲温度データが取り込まれると、取り込まれた周囲温度データがメモリ２４に書き込まれ、該周囲温度データがメモリ２４に記憶・保持される（ステップＳ８）。
【００４６】
図４は、図１に示したメモリ２４に書き込まれ、記憶・保持されるデータを示す図である。
【００４７】
図４に示すように、図１に示したメモリ２４には、センサ付き無線ＩＣタグ１０にて計測された周囲温度データと、その周囲温度データの送信元のセンサ付き無線ＩＣタグ１０のＩＤと、その周囲温度データがセンサ付き無線ＩＣタグ１０から送信された時刻を示す情報とが対応づけて記憶される。これらのデータは、上述したように、センサ付き無線ＩＣタグ１０の通信データ出力部１２にて互いに対応づけられて送信されてくるため、通信データ入力部２２においてはこれらの対応づけを認識することができる。
【００４８】
このように、ロギング装置２０のメモリ２４には、センサ付き無線ＩＣタグ１０にて計測された物品５０の周囲温度データが、その周囲温度データの送信元のセンサ付き無線ＩＣタグ１０のＩＤと対応づけて記憶されているため、センサ付き無線ＩＣタグ１０のＩＤとそのセンサ付き無線ＩＣタグ１０が添付された物品５０とを予め対応づけて管理しておけば、複数のセンサ付き無線ＩＣタグ１０にて計測された物品５０の周囲温度データを、その物品５０を特定可能に記憶しておくことができる。
【００４９】
なお、ロギング装置２０においても、電源制御部２３において、センサ付き無線ＩＣタグ１０と同様に、ＣＰＵ部２１のウォッチドッグタイマ機能（不図示）により、ＣＰＵ部２１をＯＮ状態とするとともに、無線送信部２６への電源供給を制御することも考えられる。
【００５０】
次に、ロギング装置２０に記憶・保持された周囲温度データが情報処理装置４０にて管理されるまでの処理について説明する。
【００５１】
図５は、図１に示した物品管理システムにおいてロギング装置２０に記憶・保持された周囲温度データを情報処理装置４０にて管理するシステム構成例を示す図である。
【００５２】
本構成例においては図５に示すように、図１に示した情報処理装置４０として携帯電話４１及び物品管理サーバ４２が設けられている。携帯電話４１は、外部インタフェース３０となるＵＳＢケーブル３１を介してロギング装置２０の計測データ出力部２５と接続され、物品管理サーバ４２は、インターネット等の通信回線４３を介して携帯電話４１からアクセス可能に構成されている。
【００５３】
図６は、図１に示した物品管理システムにおいてロギング装置２０に記憶・保持された周囲温度データが図５に示した物品管理サーバ４２にて管理されるまでの処理を説明するためのフローチャートである。
【００５４】
図５に示したシステムにおいて、ロギング装置２０のメモリ２４に記憶・保持された周囲温度データを物品管理サーバ４２にて管理する場合は、まず、ロギング装置２０の計測データ出力部２５にＵＳＢケーブル３１を介して携帯電話４１を接続し、携帯電話４１に対して、ロギング装置２０のメモリ２４に記憶・保持された周囲温度データを読み出す操作を行う（ステップＳ１１）。
【００５５】
すると、ロギング装置２０の計測データ出力部２５において、メモリ２４に記憶・保持された周囲温度データが読み出され、読み出された周囲温度データがＵＳＢケーブル３１を介して携帯電話４１に出力される（ステップＳ１２）。この際、メモリ２４からは、周囲温度データに対応づけられたセンサ付き無線ＩＣタグ１０のＩＤと、センサ付き無線ＩＣタグ１０から周囲温度データが送信された時刻を示す情報とが周囲温度データとともに読み出され、計測データ出力部２５において、これらの情報にロギング装置２０を特定可能なロギング装置２０のＩＤが付与され、携帯電話４１に出力される。なお、ロギング装置２０を特定可能なロギング装置２０のＩＤについては、計測データ出力部２５から周囲温度データが出力される際に周囲温度データに付与されるのではなく、センサ付き無線ＩＣタグ１０から送信されてきた周囲温度データがメモリ２４に書き込まれる際に周囲温度データに付与しておくことも考えられる。
【００５６】
ロギング装置２０の計測データ出力部２５から出力された周囲温度データがＵＳＢケーブル３１を介して携帯電話４１にて取得された後（ステップＳ１３）、携帯電話４１に対して、ロギング装置２０から取得した周囲温度データを物品管理サーバ４２に送信する操作が行われると、携帯電話４１にてロギング装置２０から取得された周囲温度データが通信回線４３を介して物品管理サーバ４２に送信される（ステップＳ１４）。なお、この場合においても、周囲温度データにおいては、周囲温度データに対応づけられたセンサ付き無線ＩＣタグ１０のＩＤと、センサ付き無線ＩＣタグ１０から周囲温度データが送信された時刻を示す情報と、ロギング装置２０を特定可能なロギング装置２０のＩＤとが付与された状態で携帯電話４１から物品管理サーバ４２に送信される。
【００５７】
物品管理サーバ４２においては、携帯電話４１から送信されてきた周囲温度データが受信されると（ステップＳ１５）、受信された周囲温度データが、周囲温度データに対応づけられたセンサ付き無線ＩＣタグ１０のＩＤと、センサ付き無線ＩＣタグ１０から周囲温度データが送信された時刻を示す情報と、ロギング装置２０を特定可能なロギング装置２０のＩＤとが付与された状態で物品管理サーバ４２内のメモリ（不図示）に保存される（ステップＳ１６）。
【００５８】
図７は、図５に示した物品管理サーバ４２にて保存されるデータを示す図である。
【００５９】
図７に示すように、物品管理サーバ４２においては、携帯電話４１から送信されてきた周囲温度データが、周囲温度データに対応づけられたセンサ付き無線ＩＣタグ１０のＩＤと、センサ付き無線ＩＣタグ１０から周囲温度データが送信された時刻を示す情報と、ロギング装置２０を特定可能なロギング装置２０のＩＤとが付与された状態で保存される。
【００６０】
このようにして物品管理サーバ４２においては、センサ付き無線ＩＣタグ１０にて計測された物品５０の周囲温度が、物品５０毎に管理されることになる。
【００６１】
このように、センサ付き無線ＩＣタグ１０にて計測された物品５０の周囲温度データが、温度センサ１７における複数回の計測分ロギング装置２０に一時的に記憶・保持され、その後、物品５０の周囲温度を管理する情報処理装置４０がロギング装置２０に接続されると、ロギング装置２０に記憶・保持された物品５０の周囲温度データが情報処理装置４０に出力されるので、アクセスポイントとなる情報処理装置４０が設けられていない環境においても、物品５０の周囲温度データを取得し、管理することができる。
【００６２】
なお、図５に示した構成例においては、情報処理装置４０として携帯電話４１及び物品管理サーバ４２を用いた場合を例に挙げて説明したが、情報処理装置４０として一般的なパーソナルコンピュータを用いることも考えられる。また、外部出力インタフェース３０については、上述したＵＳＢケーブル３１に限らず、情報処理装置４０の種類に応じて、ＲＳ−２３２ＣケーブルやＬＡＮケーブル等、適宜使用することができる。
【００６３】
また、情報処理装置４０をロギング装置２０にＵＳＢケーブル３１等の外部出力インタフェース３０を介して接続した際、ロギング装置２０に一時的に記憶・保持された周囲温度データが情報処理装置４０に自動的に送信される構成とすることも考えられる。
【００６４】
また、本形態においては、環境データとして温度センサ１７にて計測された物品５０の周囲温度データを例に挙げて説明したが、本発明における環境データはこれに限らず、管理する物品の種類に応じて、湿度や振動、紫外線照射等に関するデータを環境データとして取り扱い、センサ付き無線ＩＣタグ１０内にそれらの環境データを計測するためのセンサを設けることも考えられる。
【図面の簡単な説明】
【００６５】
【図１】本発明の物品管理システムの実施の一形態を示す図である。
【図２】図１に示した物品管理システムを用いて物品の周囲温度を実際に管理する例を示す図である。
【図３】図１に示した物品管理システムを用いて図２に示した物品の周囲温度データをロギング装置に記憶・保持するまでの処理を説明するためのフローチャートである。
【図４】図１に示したメモリに書き込まれ、記憶・保持されるデータを示す図である。
【図５】図１に示した物品管理システムにおいてロギング装置に記憶・保持された周囲温度データを情報処理装置にて管理するシステム構成例を示す図である。
【図６】図１に示した物品管理システムにおいてロギング装置に記憶・保持された周囲温度データが図５に示した物品管理サーバにて管理されるまでの処理を説明するためのフローチャートである。
【図７】図５に示した物品管理サーバにて保存されるデータを示す図である。
【符号の説明】
【００６６】
１０    センサ付き無線ＩＣタグ
１１    タグＣＰＵ部
１２    通信データ出力部
１３，２３    電源制御部
１４    計測データ入力部
１５，２４    メモリ
１６    無線送信部
１７    温度センサ
１８，２７    電源
２０    ロギング装置
２１    ＣＰＵ部
２２    通信データ入力部
２５    計測データ出力部
２６    無線受信部
３０    外部出力インタフェース
３１    ＵＳＢケーブル
４０    情報処理装置
４１    携帯電話
４２    物品管理サーバ
４３    通信回線
５０    物品
６０    コンテナ
【図１】
2008024385.tif 000003
【図２】
2008024385.tif 000004
【図３】
2008024385.tif 000005
【図４】
2008024385.tif 000006
【図５】
2008024385.tif 000007
【図６】
2008024385.tif 000008
【図７】
2008024385.tif 000009